(57)【要約】【課題】マンマシンインタフェースの構成を簡略化することができ、かつ、機能を容易に使い分けることができる投写型映像表示装置を提供する。【解決手段】投写型映像表示装置であるプロジェクタ１は、使用者により操作されるマンマシンインタフェースとして、第１押しボタンスイッチとしてのメニュー表示ボタンスイッチ２２と、第２押しボタンスイッチとしてのポインタ移動ボタンスイッチ２５とを少なくとも有する。プロジェクタ１は、メニュー表示ボタンスイッチ２２が単独で押されたとき、メニュー映像を表示する機能を実行し、ポインタ移動ボタンスイッチ２５が単独で押されたとき、メニュー映像におけるポインタを左方に移動させる機能を実行し、メニュー表示ボタンスイッチ２２とポインタ移動ボタンスイッチ２５とが同時に押されたとき、音量を大きくする機能を実行する。【選択図】図１
2013110722.tif 000002
【特許請求の範囲】
【請求項１】
使用者により操作されるマンマシンインタフェースを備え、前記マンマシンインタフェースが操作されることにより所定の機能を実行する投写型映像表示装置において、
前記マンマシンインタフェースとして、第１押しボタンスイッチと第２押しボタンスイッチとを少なくとも有し、
前記第１押しボタンスイッチが単独で押されたとき、所定の機能として第１機能を実行し、
前記第２押しボタンスイッチが単独で押されたとき、所定の機能として前記第１機能と異なる第２機能を実行し、
前記第１押しボタンスイッチと前記第２押しボタンスイッチとが同時に押されたとき、所定の機能として前記第１機能とも前記第２機能とも異なる第３機能を実行する
ことを特徴とする投写型映像表示装置。
【請求項２】
前記第１押しボタンスイッチおよび前記第２押しボタンスイッチは、映像表示用の光学部品を収納する筐体に設けられている
ことを特徴とする請求項１に記載の投写型映像表示装置。
【請求項３】
前記第１押しボタンスイッチおよび前記第２押しボタンスイッチは、前記筐体に対して同一方向から押すことができるように設けられている
ことを特徴とする請求項２に記載の投写型映像表示装置。
【請求項４】
前記筐体には、前記第１押しボタンスイッチと前記第２押しボタンスイッチとを結ぶ線が描かれている
ことを特徴とする請求項２または３に記載の投写型映像表示装置。
【請求項５】
前記筐体には、前記第３機能に対応する機能名が描かれている
ことを特徴とする請求項２〜４のいずれか一項に記載の投写型映像表示装置。
【請求項６】
前記マンマシンインタフェースとして、第３押しボタンスイッチをさらに有し、
前記第３押しボタンスイッチが単独で押されたとき、所定の機能として前記第１機能とも前記第２機能とも前記第３機能とも異なる第４機能を実行し、
前記第１押しボタンスイッチと前記第３押しボタンスイッチとが同時に押されたとき、所定の機能として前記第１機能とも前記第２機能とも前記第３機能とも前記第４機能とも異なる第５機能を実行する
ことを特徴とする請求項１〜５のいずれか一項に記載の投写型映像表示装置。
【請求項７】
前記第２押しボタンスイッチおよび前記第３押しボタンスイッチには、基本色が着色され、
前記第１押しボタンスイッチには、前記基本色と異なる特別色が着色されている
ことを特徴とする請求項６に記載の投写型映像表示装置。
【発明の詳細な説明】
【技術分野】
【０００１】
本発明は、使用者により操作されるマンマシンインタフェースを備え、マンマシンインタフェースが操作されることにより所定の機能を実行する投写型映像表示装置に関する。
【背景技術】
【０００２】
一般的に、液晶プロジェクタ等の投写型映像表示装置は、マンマシンインタフェースとして複数の押しボタンスイッチを備える。複数の押しボタンスイッチの各々には、所定の機能が割り当てられ、押しボタンスイッチが押されたとき、押しボタンスイッチに割り当てられている機能が実行される。
【０００３】
また、マンマシンインタフェースの構成を簡素化するため、即ち、押しボタンスイッチの個数を削減するために、１つの押しボタンスイッチに複数の機能を割り当てることが知られている（例えば特許文献１参照）。
【０００４】
特許文献１のプロジェクタ装置は、マンマシンインタフェースとして、リモートコントローラに設けられたインプットキーを有する。インプットキーを短押しすると、プロジェクタ装置は、複数の映像入力端子のうち信号入力のある端子を、映像信号の入力に使用する入力端子として自動的に選択するオートサーチ機能を実行する。また、インプットキーを長押しすると、プロジェクタ装置は、各映像入力端子の信号名を所定時間毎に順番に表示し、インプットキーを離した時点の信号名に対応する端子を、映像信号の入力に使用する入力端子として選択する機能を実行する。
【先行技術文献】
【特許文献】
【０００５】
【特許文献１】特開２００７−３２７９８７号公報
【発明の概要】
【発明が解決しようとする課題】
【０００６】
しかし、押しボタンスイッチを押した時間の長さに応じて実行する機能が変化するため、使用者が押しボタンスイッチを押し続ける時間を誤ると所望の機能が実行されない。即ち、使用者が機能を確実に使い分けることができないおそれがある。
【０００７】
本発明は、上記課題を解決するため、マンマシンインタフェースの構成を簡略化することができ、かつ、機能を容易に使い分けることができる投写型映像表示装置を提供することを目的とする。
【課題を解決するための手段】
【０００８】
上記目的を達成するため、請求項１に記載の発明は、使用者により操作されるマンマシンインタフェースを備え、前記マンマシンインタフェースが操作されることにより所定の機能を実行する投写型映像表示装置において、前記マンマシンインタフェースとして、第１押しボタンスイッチと第２押しボタンスイッチとを少なくとも有し、前記第１押しボタンスイッチが単独で押されたとき、所定の機能として第１機能を実行し、前記第２押しボタンスイッチが単独で押されたとき、所定の機能として前記第１機能と異なる第２機能を実行し、前記第１押しボタンスイッチと前記第２押しボタンスイッチとが同時に押されたとき、所定の機能として前記第１機能とも前記第２機能とも異なる第３機能を実行することを特徴とする。
【０００９】
上記発明によれば、使用者は、第１押しボタンスイッチおよび第２押しボタンスイッチを用いて、３つの機能（第１〜第３機能）を投写型映像表示装置に実行させることができる。従って、３つの機能の各々が、３つの異なる押しボタンスイッチに割り当てられている構成に比べて、マンマシンインタフェースの構成を簡略化することができる。また、押しボタンスイッチを押す組合せによって実行される機能が変化するため、押しボタンスイッチを押した時間の長さに関係なく所定の機能が実行され、投写型映像表示装置が有する機能を容易に使い分けることができる。
【００１０】
請求項２に記載の発明は、請求項１に記載の投写型映像表示装置において、前記第１押しボタンスイッチおよび前記第２押しボタンスイッチは、映像表示用の光学部品を収納する筐体に設けられていることを特徴とする。
【００１１】
上記発明によれば、映像表示用の光学部品を収納する筐体に押しボタンスイッチが設けられているため、赤外線または無線により機能を実行させる遠隔操作機器を用いずに、投写型映像表示装置に所定の機能を実行させることができる。
【００１２】
請求項３に記載の発明は、請求項２に記載の投写型映像表示装置において、前記第１押しボタンスイッチおよび前記第２押しボタンスイッチは、前記筐体に対して同一方向から押すことができるように設けられていることを特徴とする。
【００１３】
上記発明によれば、第１押しボタンスイッチおよび第２押しボタンスイッチは、筐体に対して同一方向から押すことができるため、使用者は、２つの押しボタンスイッチ（第１および第２押しボタンスイッチ）を同時に押すことが容易に行える。
【００１４】
請求項４に記載の発明は、請求項２または３に記載の投写型映像表示装置において、前記筐体には、前記第１押しボタンスイッチと前記第２押しボタンスイッチとを結ぶ線が描かれていることを特徴とする。
【００１５】
上記発明によれば、筐体には、第１押しボタンスイッチと第２押しボタンスイッチとを結ぶ線が描かれているため、第１押しボタンスイッチと第２押しボタンスイッチを同時に押すことにより所定の機能が実行されることを、使用者に対して想起させることが可能である。
【００１６】
請求項５に記載の発明は、請求項２〜４のいずれか一項に記載の投写型映像表示装置において、前記筐体には、前記第３機能に対応する機能名が描かれていることを特徴とする。
【００１７】
上記発明によれば、筐体には、第３機能に対応する機能名が描かれているため、第１押しボタンスイッチと第２押しボタンスイッチを同時に押すことにより実行される機能を、使用者が把握することができる。
【００１８】
請求項６に記載の発明は、請求項１〜５のいずれか一項に記載の投写型映像表示装置において、前記マンマシンインタフェースとして、第３押しボタンスイッチをさらに有し、前記第３押しボタンスイッチが単独で押されたとき、所定の機能として前記第１機能とも前記第２機能とも前記第３機能とも異なる第４機能を実行し、前記第１押しボタンスイッチと前記第３押しボタンスイッチとが同時に押されたとき、所定の機能として前記第１機能とも前記第２機能とも前記第３機能とも前記第４機能とも異なる第５機能を実行することを特徴とする。
【００１９】
上記発明によれば、使用者は、第１押しボタンスイッチおよび第２押しボタンスイッチおよび第３押しボタンスイッチを用いて、５つの機能（第１〜第５機能）を投写型映像表示装置に実行させることができる。従って、５つの機能の各々が、５つの異なる押しボタンスイッチに割り当てられている構成に比べて、マンマシンインタフェースの構成を簡略化することができる。
【００２０】
請求項７に記載の発明は、請求項６に記載の投写型映像表示装置において、前記第２押しボタンスイッチおよび前記第３押しボタンスイッチには、基本色が着色され、前記第１押しボタンスイッチには、前記基本色と異なる特別色が着色されていることを特徴とする。
【００２１】
第１押しボタンスイッチは、第３機能または第５機能を投写型映像表示装置に実行させるために、第２押しボタンスイッチまたは第３押しボタンスイッチと同時に押される重要な押しボタンスイッチである。上記発明によれば、第１押しボタンスイッチに着色されている特別色が、第２押しボタンスイッチおよび前記第３押しボタンスイッチに着色されている基本色と異なる。このため、第１押しボタンスイッチが重要な押しボタンスイッチであることを、使用者に対して想起させることが可能である。
【発明の効果】
【００２２】
本発明によれば、マンマシンインタフェースの構成を簡略化することができ、かつ、機能を容易に使い分けることができる。
【図面の簡単な説明】
【００２３】
【図１】本発明の一実施形態に係る投写型映像表示装置の外観を示す図であって、（ａ）は斜視図、（ｂ）は平面図。
【図２】同実施形態の投写型映像表示装置の概略構成を示すブロック図。
【図３】同実施形態の投写型映像表示装置が行う「機能実行処理」の流れを示すフローチャート。
【図４】本発明の他の実施形態に係る投写型映像表示装置の外観を示す平面図。
【図５】本発明の他の実施形態に係る投写型映像表示装置の外観を示す平面図。
【図６】（ａ）〜（ｄ）本発明の他の実施形態に係る投写型映像表示装置の外観を示す平面図。
【発明を実施するための形態】
【００２４】
以下、本発明の一実施形態について図面を参照しながら説明する。
図１（ａ）に示すように、本実施形態の投写型映像表示装置は、映像信号に基づいて、スクリーンまたは壁等の平面に映像を表示するビデオプロジェクタ１（以下、「プロジェクタ１」）である。
【００２５】
プロジェクタ１は、映像表示用の光学部品および電子部品を収納する筐体１０を備えている。プロジェクタ１は、筐体１０に設けられた開口部１１から、映像の光を投射レンズ３３で投射することにより、プロジェクタ１に対向する面に映像を表示する。
【００２６】
筐体１０には、プロジェクタ１の使用者が操作する操作部２０が設けられている。操作部２０は、複数のボタンスイッチ２１〜２９により構成されているマンマシンインタフェースである。各ボタンスイッチ２１〜２９は、使用者により押される押しボタン部分と、電気回路に設けられたスイッチ部分（不図示）とにより構成される。図中の各ボタンスイッチ２１〜２９は、ユーザインタフェースである押しボタン部分のみを示している。
【００２７】
図１（ｂ）を参照して、操作部２０について詳しく説明する。図１（ｂ）は、図１（ａ）に示す操作部２０を拡大した図である。
操作部２０は、押しボタンスイッチとして、電源ボタンスイッチ２１と、メニュー表示ボタンスイッチ２２と、入力切換ボタンスイッチ２３と、ポインタ移動ボタンスイッチ２４〜２７と、操作取消ボタンスイッチ２８と、項目選択ボタンスイッチ２９とを有する。各ボタンスイッチ２１〜２９は、使用者が筐体１０に対して同一方向から片手で押すことができるように、筐体１０に設けられている。
【００２８】
各ボタンスイッチ２１〜２９には、以下のように所定の機能が割り当てられている。
（ａ）電源ボタンスイッチ２１には、映像の非表示時において映像の表示を開始する機能、および、映像の表示を停止する機能が割り当てられている。
（ｂ）メニュー表示ボタンスイッチ２２には、メニュー映像を表示する機能が割り当てられている。メニュー映像には、プロジェクタ１が実行可能な機能の一覧と、この一覧に含まれる複数の項目のうちいずれかの項目を指し示すポインタとが含まれる。
（ｃ）入力切換ボタンスイッチ２３には、映像信号入力用の複数の端子のうち、映像信号の入力に使用する端子を切り換える機能が割り当てられている。
（ｄ）ポインタ移動ボタンスイッチ２４には、メニュー映像におけるポインタを上方に移動させる機能が割り当てられている。
（ｅ）ポインタ移動ボタンスイッチ２５には、メニュー映像におけるポインタを左方に移動させる機能が割り当てられている。
（ｆ）ポインタ移動ボタンスイッチ２６には、メニュー映像におけるポインタを右方に移動させる機能が割り当てられている。
（ｇ）ポインタ移動ボタンスイッチ２７には、メニュー映像におけるポインタを下方に移動させる機能が割り当てられている。
（ｈ）操作取消ボタンスイッチ２８には、使用者による操作部２０の操作を取り消す機能が割り当てられている。取り消される操作は、操作取消ボタンスイッチ２８が押される直前の操作である。
（ｉ）項目選択ボタンスイッチ２９には、メニュー映像においてポインタが指し示す項目を選択する機能が割り当てられている。
（ｊ）メニュー表示ボタンスイッチ２２およびポインタ移動ボタンスイッチ２５には、音量を小さくする機能が割り当てられている。
（ｋ）メニュー表示ボタンスイッチ２２およびポインタ移動ボタンスイッチ２６には、音量を大きくする機能が割り当てられている。
（ｌ）メニュー表示ボタンスイッチ２２および操作取消ボタンスイッチ２８には、映像の表示を自動で調整する機能が割り当てられている。
【００２９】
また、筐体１０には、映像の表示を開始する機能に対応する機能名「ＯＮ」、および映像の表示を停止する機能に対応する機能名「ＳＴＡＮＤ−ＢＹ」が、電源ボタンスイッチ２１の近傍に描かれている。また、筐体１０には、メニュー映像を表示する機能に対応する機能名「ＭＥＮＵ」が、メニュー表示ボタンスイッチ２２の近傍に描かれている。また、筐体１０には、映像信号の入力に使用する端子を切り換える機能に対応する機能名「ＩＮＰＵＴ」が、入力切換ボタンスイッチ２３の近傍に描かれている。
【００３０】
また、ポインタ移動ボタンスイッチ２４〜２７には、ポインタを移動させる方向を示す模様が描かれている。また、筐体１０には、操作部２０の操作を取り消す機能に対応する機能名「ＣＡＮＣＥＬ」が、操作取消ボタンスイッチ２８の近傍に描かれている。また、筐体１０には、ポインタが指し示す項目を選択する機能に対応する機能名「ＳＥＬＥＣＴ」が、項目選択ボタンスイッチ２９の近傍に描かれている。
【００３１】
また、筐体１０には、図中の矢印Ａで示すように、メニュー表示ボタンスイッチ２２とポインタ移動ボタンスイッチ２５とを結ぶ線と、音量を小さくする機能に対応する機能名「ＶＯＬ−」が描かれている。
【００３２】
また、筐体１０には、図中の矢印Ｂで示すように、メニュー表示ボタンスイッチ２２とポインタ移動ボタンスイッチ２６とを結ぶ線と、音量を大きくする機能に対応する機能名「ＶＯＬ＋」が描かれている。
【００３３】
また、筐体１０には、図中の矢印Ｃで示すように、メニュー表示ボタンスイッチ２２と操作取消ボタンスイッチ２８とを結ぶ線と、映像の表示を自動で調整する機能に対応する機能名「ＡＵＴＯ  ＳＥＴＵＰ」とが描かれている。
【００３４】
図２を参照して、プロジェクタ１の内部構成について説明する。
プロジェクタ１は、映像表示用の光学部品として、光源３１と、液晶パネル３２と、投射レンズ３３とを備えている。これらの光学部品の他に、プロジェクタ１は、例えば、インテグレータレンズ、偏光変換素子、集光レンズ、およびクロスダイクロイックプリズム（いずれも不図示）等を備えている。
【００３５】
光源３１は、放電ランプにより構成されている。液晶パネル３２は、ドットマトリクス型の液晶ライトバルブにより構成されている。投射レンズ３３は、映像の光を投射するレンズ群により構成されている。プロジェクタ１は、光源３１が発した光を、液晶パネル３２を透過させることにより映像を生成する。そして、プロジェクタ１は、生成された映像の光を、投射レンズ３３で投射することにより、映像を拡大して表示する。
【００３６】
また、プロジェクタ１は、プロジェクタ１の外部から映像信号が入力される映像信号入力部４１と、映像信号に対して所定の信号処理を施す映像信号処理部４２と、映像信号に基づいて液晶パネル３２を駆動する液晶駆動部４３とを備えている。
【００３７】
映像信号入力部４１は、映像信号用ケーブル（不図示）が接続される映像信号入力用の複数の端子により構成されている。映像信号処理部４２は、プロジェクタ１に入力された映像信号に対して、ＯＳＤ（On Screen Display）処理や台形歪み補正処理等の種々の信号処理を施す信号処理回路により構成されている。液晶駆動部４３は、映像信号に基づいて液晶パネル３２を駆動する駆動回路により構成されている。映像信号に基づいて駆動されている液晶パネル３２を光が透過することにより、映像信号に基づいた映像が生成される。
【００３８】
また、プロジェクタ１は、プロジェクタ１の外部から音声信号が入力される音声信号入力部５１と、音声信号に基づいて音声を出力する音声出力部５２と、プロジェクタ１の各部を制御する制御部６１と、情報を記憶する記憶部６２とを備えている。
【００３９】
音声信号入力部５１は、音声信号用ケーブル（不図示）が接続される音声信号入力用の端子により構成されている。音声出力部５２は、小型のスピーカにより構成されている。プロジェクタ１は、音声出力部５２で音声信号に基づいて音声を出力することにより、映像コンテンツに対応した音声を出力する。
【００４０】
制御部６１は、映像信号処理部４２における信号処理の制御や、光源３１の点灯状態の制御等を行う集積回路により構成されている。制御部６１は、操作部２０が操作されたことに基づいて、押しボタンスイッチが押されたことに伴って操作部２０から入力される電気信号に基づいて、押された押しボタンスイッチに割り当てられている所定の機能を実行する「機能実行処理」を行う。記憶部６２は、制御部６１が実行する「機能実行処理」のプログラムを記憶している。
【００４１】
図３を参照して、映像の表示時にプロジェクタ１が行う「機能実行処理」について説明する。図３に示す機能実行処理の一連の動作は、繰り返し実行される。
制御部６１は、操作部２０から入力される電気信号に基づいて、複数のボタンスイッチ２１〜２９のうちいずれか１つの押しボタンスイッチが押されたか否かを判断する（ステップＳ１）。
【００４２】
いずれか１つの押しボタンスイッチが押されたとステップＳ１で判断されたとき、制御部６１は、操作部２０から入力される電気信号に基づいて、ステップＳ１で押されたと判断された押しボタンスイッチが離されたか否かを判断する（ステップＳ２）。
【００４３】
一方、いずれか１つの押しボタンスイッチが押されたとステップＳ１で判断されなかったとき、ステップＳ１が繰り返し実行される。即ち、いずれか１つの押しボタンスイッチが押されたときに、ステップＳ２に移行する。
【００４４】
押しボタンスイッチが離されたとステップＳ２で判断されたとき、制御部６１は、ステップＳ１で押されたと判断された押しボタンスイッチに割り当てられている機能を実行する（ステップＳ３）。
【００４５】
即ち、ステップＳ３においては制御部６１が以下のようにして機能を実行する。
・ステップＳ１で電源ボタンスイッチ２１が押されたとき、制御部６１は、電源と光源３１との電気的接続を切断して、電源から光源３１への電力の供給を停止させる。こうして、制御部６１は、点灯状態の光源３１を消灯させて、映像の表示を停止する。
・ステップＳ１でメニュー表示ボタンスイッチ２２が押されたとき、制御部６１は、映像信号処理部４２を制御することにより、映像信号入力部４１から入力される映像信号に、メニュー映像を表示するための信号を映像信号処理部４２で合成させる。こうして、制御部６１は、メニュー映像を表示する。
・ステップＳ１で入力切換ボタンスイッチ２３が押されたとき、制御部６１は、映像信号入力部４１と映像信号処理部４２との電気的接続を制御することにより、映像信号処理部４２への映像信号の入力に使用する端子を切り換える。
・ステップＳ１でポインタ移動ボタンスイッチ２４が押されたとき、制御部６１は、映像信号処理部４２を制御することにより、メニュー映像の内容を変更する。こうして、制御部６１は、メニュー映像においてポインタを上方に移動させる。
・ステップＳ１でポインタ移動ボタンスイッチ２５が押されたとき、制御部６１は、映像信号処理部４２を制御することにより、メニュー映像の内容を変更する。こうして、制御部６１は、メニュー映像においてポインタを左方に移動させる。
・ステップＳ１でポインタ移動ボタンスイッチ２６が押されたとき、制御部６１は、映像信号処理部４２を制御することにより、メニュー映像の内容を変更する。こうして、制御部６１は、メニュー映像においてポインタを右方に移動させる。
・ステップＳ１でポインタ移動ボタンスイッチ２７が押されたとき、制御部６１は、映像信号処理部４２を制御することにより、メニュー映像の内容を変更する。こうして、制御部６１は、メニュー映像においてポインタを下方に移動させる。
・ステップＳ１で操作取消ボタンスイッチ２８が押されたとき、制御部６１は、直前に実行した機能を取り消す。
・ステップＳ１で項目選択ボタンスイッチ２９が押されたとき、制御部６１は、ポインタが指し示す項目を選択する。選択された項目、即ち、使用者が操作部２０を用いて選択した項目は記憶部６２に記憶される。
【００４６】
押しボタンスイッチが離されたとステップＳ３で判断されなかったとき、制御部６１は、操作部２０から入力される電気信号に基づいて、ステップＳ１で押されたと判断された押しボタンスイッチと異なる他の押しボタンスイッチが押されたか否かを判断する（ステップＳ４）。
【００４７】
他の押しボタンスイッチが押されたとステップＳ４で判断されなかったとき、ステップＳ２以降が繰り返される。
一方、他の押しボタンスイッチが押されたとステップＳ４で判断されたとき、制御部６１は、同時押しボタンスイッチに機能が割り当てられているか否かを判断する（ステップＳ５）。即ち、ステップＳ１で押された押しボタンスイッチとステップＳ４で押された押しボタンスイッチとを「同時押しボタンスイッチ」として、これらの押しボタンスイッチに共通する機能が割り当てられているか否かを判断する。
【００４８】
同時押しボタンスイッチに機能が割り当てられているとステップＳ５で判断されなかったとき、制御部６１は、ステップＳ１で押されたと判断された押しボタンスイッチに割り当てられている機能を実行する（ステップＳ３）。即ち、制御部６１は、２つの押しボタンスイッチが押されたときであっても、それらの押しボタンスイッチに共通する機能が割り当てられていない場合には、最初に押された押しボタンスイッチに割り当てられている機能を実行する。
【００４９】
一方、同時押しボタンスイッチに機能が割り当てられているとステップＳ５で判断されたとき、制御部６１は、同時押しボタンスイッチに割り当てられている機能を実行する（ステップＳ６）。
【００５０】
即ち、ステップＳ６においては制御部６１が以下のようにして機能を実行する。
・メニュー表示ボタンスイッチ２２とポインタ移動ボタンスイッチ２５が同時に押されたとき、制御部６１は、音声出力部５２を制御して、音量を小さくする。
・メニュー表示ボタンスイッチ２２とポインタ移動ボタンスイッチ２６が同時に押されたとき、制御部６１は、音声出力部５２を制御して、音量を大きくする。
・メニュー表示ボタンスイッチ２２と操作取消ボタンスイッチ２８が同時に押されたとき、制御部６１は、映像信号入力部４１と映像信号処理部４２との電気的接続を制御することにより、映像信号の入力に使用する端子として映像信号が入力されている端子を自動で選択する。さらに、制御部６１は、映像信号処理部４２を制御することにより、台形歪み補正処理を自動で行う。こうして、制御部６１は、映像の表示を自動で調整する。
【００５１】
プロジェクタ１の動作について説明する。
（Ａ）映像の非表示時において使用者が電源ボタンスイッチ２１のみを押して離すと、プロジェクタ１の制御部６１は、消灯している光源３１を点灯させて、映像の表示を開始する機能を実行する。
（Ｂ）映像の表示時において使用者が電源ボタンスイッチ２１のみを押して離すと、プロジェクタ１の制御部６１は、点灯している光源３１を消灯させて、映像の表示を停止する機能を実行する。
（Ｃ）映像の表示時において使用者がメニュー表示ボタンスイッチ２２のみを押して離すと、プロジェクタ１の制御部６１は、メニュー映像を表示するためのＯＳＤ処理を映像信号処理部４２で行わせて、メニュー映像を表示する機能を実行する。
（Ｄ）映像の表示時において使用者が入力切換ボタンスイッチ２３のみを押して離すと、プロジェクタ１の制御部６１は、映像信号入力部４１を構成する複数の端子のうち、映像信号処理部４２への映像信号の入力に使用する端子を切り換える機能を実行する。
（Ｅ）メニュー映像の表示時において使用者がポインタ移動ボタンスイッチ２４のみを押して離すと、プロジェクタ１の制御部６１は、メニュー映像においてポインタを上方に移動させるＯＳＤ処理を映像信号処理部４２で行わせて、ポインタを上方に移動させる機能を実行する。
（Ｆ）メニュー映像の表示時において使用者がポインタ移動ボタンスイッチ２５のみを押して離すと、プロジェクタ１の制御部６１は、メニュー映像においてポインタを左方に移動させるＯＳＤ処理を映像信号処理部４２で行わせて、ポインタを左方に移動させる機能を実行する。
（Ｇ）メニュー映像の表示時において使用者がポインタ移動ボタンスイッチ２６のみを押して離すと、プロジェクタ１の制御部６１は、メニュー映像においてポインタを右方に移動させるＯＳＤ処理を映像信号処理部４２で行わせて、ポインタを右方に移動させる機能を実行する。
（Ｈ）メニュー映像の表示時において使用者がポインタ移動ボタンスイッチ２７のみを押して離すと、プロジェクタ１の制御部６１は、メニュー映像においてポインタを下方に移動させるＯＳＤ処理を映像信号処理部４２で行わせて、ポインタを下方に移動させる機能を実行する。
（Ｉ）メニュー映像の表示時において使用者が操作取消ボタンスイッチ２８のみを押して離すと、プロジェクタ１の制御部６１は、操作部２０の操作を取り消す機能を実行する。例えば、使用者が、メニュー表示ボタンスイッチ２２のみを押した後に、操作取消ボタンスイッチ２８のみを押すと、プロジェクタ１の制御部６１は、映像信号処理部４２でのＯＳＤ処理を停止させて、メニュー映像の表示を停止する機能を実行する。
（Ｊ）メニュー映像の表示時において使用者が項目選択ボタンスイッチ２９のみを押して離すと、プロジェクタ１の制御部６１は、メニュー映像においてポインタが指し示す項目を選択する機能を実行する。
（Ｋ）使用者がメニュー表示ボタンスイッチ２２とポインタ移動ボタンスイッチ２５を同時に押すと、プロジェクタ１の制御部６１は、音声出力部５２を制御して、音量を小さくする機能を実行する。
（Ｌ）使用者がメニュー表示ボタンスイッチ２２とポインタ移動ボタンスイッチ２６を同時に押すと、プロジェクタ１の制御部６１は、音声出力部５２を制御して、音量を大きくする機能を実行する。
（Ｍ）使用者がメニュー表示ボタンスイッチ２２と操作取消ボタンスイッチ２８を同時に押すと、プロジェクタ１の制御部６１は、映像の表示を自動で調整する機能を実行する。
【００５２】
本実施形態のプロジェクタ１は以下の効果を奏する。
（１）操作部２０を備えるプロジェクタ１は、ボタンスイッチ２１〜２９を有し、メニュー表示ボタンスイッチ２２が単独で押されたとき、第１機能としてメニュー映像を表示する機能を実行し、ポインタ移動ボタンスイッチ２５が単独で押されたとき、第１機能と異なる第２機能としてポインタを左方に移動させる機能を実行する。また、プロジェクタ１は、メニュー表示ボタンスイッチ２２とポインタ移動ボタンスイッチ２５とが同時に押されたとき、第１機能とも第２機能とも異なる第３機能として音量を小さくする機能を実行する。従って、使用者は、メニュー表示ボタンスイッチ２２およびポインタ移動ボタンスイッチ２５を用いて、３つの機能をプロジェクタ１に実行させることができる。よって、３つの機能の各々が、３つの異なる押しボタンスイッチに割り当てられている構成に比べて、マンマシンインタフェースである操作部２０の構成を簡略化することができる。また、ボタンスイッチ２２，２５を押す組合せによって実行される機能が変化するため、押しボタンスイッチを押した時間の長さに関係なく所定の機能が実行され、使用者は、プロジェクタ１が有する機能を容易に使い分けることができる。
【００５３】
また、プロジェクタ１は、ポインタ移動ボタンスイッチ２６が単独で押されたとき、第１機能と異なる第２機能としてポインタを右方に移動させる機能を実行し、メニュー表示ボタンスイッチ２２とポインタ移動ボタンスイッチ２６とが同時に押されたとき、第１機能とも第２機能とも異なる第３機能として音量を大きくする機能を実行する。従って、上記（１）に準じた効果を奏することができ、操作部２０の構成を一層簡略化することができる。
【００５４】
また、プロジェクタ１は、操作取消ボタンスイッチ２８が単独で押されたとき、第１機能と異なる第２機能として操作部２０の操作を取り消す機能を実行し、メニュー表示ボタンスイッチ２２と操作取消ボタンスイッチ２８とが同時に押されたとき、第１機能とも第２機能とも異なる第３機能として映像の表示を自動で調整する機能を実行する。従って、上記（１）に準じた効果を奏することができ、操作部２０の構成をより一層簡略化することができる。
【００５５】
（２）ボタンスイッチ２１〜２９は、映像表示用の光学部品を収納する筐体１０に設けられている。このため、使用者は、赤外線または無線により機能を実行させる遠隔操作機器（不図示）を用いずに、プロジェクタ１に所定の機能を実行させることができる。
【００５６】
（３）ボタンスイッチ２１〜２９は、筐体１０の上方から、即ち筐体１０に対して同一方向から押すことができるように設けられている。このため、使用者は、２つの押しボタンスイッチを同時に押すことが容易に行える。
【００５７】
（４）筐体１０には、メニュー表示ボタンスイッチ２２とポインタ移動ボタンスイッチ２５とを結ぶ線が描かれている。このため、メニュー表示ボタンスイッチ２２とポインタ移動ボタンスイッチ２５を同時に押すことにより所定の機能が実行されることを、使用者に対して想起させることが可能である。
【００５８】
また、筐体１０には、メニュー表示ボタンスイッチ２２とポインタ移動ボタンスイッチ２６とを結ぶ線が描かれている。このため、メニュー表示ボタンスイッチ２２とポインタ移動ボタンスイッチ２６を同時に押すことにより所定の機能が実行されることを、使用者に対して想起させることが可能である。
【００５９】
また、筐体１０には、メニュー表示ボタンスイッチ２２と操作取消ボタンスイッチ２８とを結ぶ線が描かれている。このため、メニュー表示ボタンスイッチ２２と操作取消ボタンスイッチ２８を同時に押すことにより所定の機能が実行されることを、使用者に対して想起させることが可能である。
【００６０】
（５）筐体１０には、第３機能である音量を小さくする機能に対応する機能名が描かれている。このため、メニュー表示ボタンスイッチ２２とポインタ移動ボタンスイッチ２５を同時に押すことにより実行される機能を、使用者が把握することができる。
【００６１】
また、筐体１０には、第３機能である音量を大きくする機能に対応する機能名が描かれている。このため、メニュー表示ボタンスイッチ２２とポインタ移動ボタンスイッチ２６を同時に押すことにより実行される機能を、使用者が把握することができる。
【００６２】
また、筐体１０には、第３機能である映像の表示を自動で調整する機能に対応する機能名が描かれている。このため、メニュー表示ボタンスイッチ２２と操作取消ボタンスイッチ２８を同時に押すことにより実行される機能を、使用者が把握することができる。
【００６３】
（６）メニュー映像を表示する機能を第１機能とし、ポインタを左方に移動させる機能を第２機能とし、音量を小さくする機能を第３機能としたとき、プロジェクタ１は、ポインタ移動ボタンスイッチ２６が単独で押されたとき、第１〜第３機能と異なる第４機能として、ポインタを右方に移動させる機能を実行する。また、プロジェクタ１は、メニュー表示ボタンスイッチ２２とポインタ移動ボタンスイッチ２６とが同時に押されたとき、第１〜第４機能と異なる第５機能として音量を大きくする機能を実行する。従って、使用者は、メニュー表示ボタンスイッチ２２およびポインタ移動ボタンスイッチ２５，２６を用いて、５つの機能（第１〜第５機能）をプロジェクタ１に実行させることができる。よって、５つの機能の各々が、５つの異なる押しボタンスイッチに割り当てられている構成に比べて、マンマシンインタフェースである操作部２０の構成を簡略化することができる。
【００６４】
また、メニュー映像を表示する機能を第１機能とし、ポインタを左方に移動させる機能を第２機能とし、音量を小さくする機能を第３機能としたとき、プロジェクタ１は、操作取消ボタンスイッチ２８が単独で押されたとき、第１〜第３機能と異なる第４機能として操作部２０の操作を取り消す機能を実行する。また、プロジェクタ１は、メニュー表示ボタンスイッチ２２と操作取消ボタンスイッチ２８とが同時に押されたとき、第１〜第４機能と異なる第５機能として映像の表示を自動で調整する機能を実行する。従って、上記（６）に準じた効果を奏することができ、操作部２０の構成を一層簡略化することができる。
【００６５】
（７）メニュー映像を表示する機能を第１機能とし、ポインタを左方に移動させる機能を第２機能とし、音量を小さくする機能を第３機能とし、ポインタを右方に移動させる機能を第４機能とし、音量を大きくする機能を第５機能とする。このとき、プロジェクタ１は、操作取消ボタンスイッチ２８が単独で押されたとき、第１〜第５機能と異なる第６機能として操作部２０の操作を取り消す機能を実行し、メニュー表示ボタンスイッチ２２と操作取消ボタンスイッチ２８とが同時に押されたとき、第１〜第６機能と異なる第７機能として映像の表示を自動で調整する機能を実行する。従って、使用者は、メニュー表示ボタンスイッチ２２およびポインタ移動ボタンスイッチ２５，２６および操作取消ボタンスイッチ２８を用いて、７つの機能（第１〜第７機能）をプロジェクタ１に実行させることができる。よって、７つの機能の各々が、７つの異なる押しボタンスイッチに割り当てられている構成に比べて、マンマシンインタフェースである操作部２０の構成を簡略化することができる。
【００６６】
なお、本発明は、上記実施形態に限られず、本発明の趣旨に基づいて種々の設計変更を行うことが可能であって、それらを本発明の範囲から除外するものではない。例えば、上記実施形態を以下のように変更してもよく、以下の変更を組み合わせて実施してもよい。
【００６７】
・図４に示されるように、メニュー表示ボタンスイッチ２２に模様が描かれる構成を採用してもよい。また、図４に示すように、筐体１０に、同時押しボタンスイッチとして他の機能が実行されることを示す「ＦＵＮＣＴＩＯＮ」が、メニュー表示ボタンスイッチ２２の近傍に描かれている構成を採用することもできる。
【００６８】
また、図４に示すように、筐体１０に、図中の矢印Ｄで示すように、メニュー表示ボタンスイッチ２２に描かれている模様と、音量を小さくする機能に対応する機能名「ＶＯＬ−」とが、ポインタ移動ボタンスイッチ２５の近傍に描かれている構成を採用することもできる。
【００６９】
また、図４に示すように、筐体１０に、図中の矢印Ｅで示すように、メニュー表示ボタンスイッチ２２に描かれている模様と、音量を大きくする機能に対応する機能名「ＶＯＬ−」とが、ポインタ移動ボタンスイッチ２６の近傍に描かれている構成を採用することもできる。
【００７０】
また、図４に示すように、筐体１０に、図中の矢印Ｆで示すように、メニュー表示ボタンスイッチ２２に描かれている模様と、映像の表示を自動で調整する機能に対応する機能名「ＡＵＴＯ  ＳＥＴＵＰ」とが、操作取消ボタンスイッチ２８の近傍に描かれている構成を採用することもできる。
【００７１】
・図５に示されるように、各ボタンスイッチ２１，２３〜２９には、基本色が着色され、メニュー表示ボタンスイッチ２２には、基本色と異なる特別色が着色されている構成を採用することもできる。メニュー表示ボタンスイッチ２２は、音量を小さくする機能、音量を大きくする機能、または映像の表示を自動で調整する機能をプロジェクタ１に実行させるために、ポインタ移動ボタンスイッチ２５，２６および操作取消ボタンスイッチ２８のいずれかと同時に押される重要な押しボタンスイッチである。従って、各ボタンスイッチ２１，２３〜２９には、基本色が着色され、メニュー表示ボタンスイッチ２２には、基本色と異なる特別色が着色されていれば、メニュー表示ボタンスイッチ２２が重要な押しボタンスイッチであることを、使用者に対して想起させることが可能である。
【００７２】
また、図５に示すように、筐体１０に、図中の矢印Ｇで示すように、メニュー表示ボタンスイッチ２２に着色されている特別色と、音量を小さくする機能に対応する機能名「ＶＯＬ−」とが、ポインタ移動ボタンスイッチ２５の近傍に描かれている構成を採用することもできる。
【００７３】
また、図５に示すように、筐体１０に、図中の矢印Ｈで示すように、メニュー表示ボタンスイッチ２２に着色されている特別色と、音量を大きくする機能に対応する機能名「ＶＯＬ−」とが、ポインタ移動ボタンスイッチ２６の近傍に描かれている構成を採用することもできる。
【００７４】
また、図５に示すように、筐体１０に、図中の矢印Ｉで示すように、メニュー表示ボタンスイッチ２２に着色されている特別色と、映像の表示を自動で調整する機能に対応する機能名「ＡＵＴＯ  ＳＥＴＵＰ」とが、操作取消ボタンスイッチ２８の近傍に描かれている構成を採用することもできる。
【００７５】
・上記実施形態の投写型映像表示装置は、液晶パネル３２を用いて映像を生成するプロジェクタ１であるが、他のプロジェクタに本発明を適用することもできる。例えば、投写型映像表示装置は、微小鏡を格子状に配列したＤＭＤ（Digital Micromirror Device）を用いて映像を生成するプロジェクタであってもよい。ＤＭＤを備えるビデオプロジェクタにおいては、映像信号に基づいてＤＭＤが駆動される。そして、光源からＤＭＤに入射した光が、ＤＭＤで反射されることによって、映像信号に基づいた映像が生成される。
【００７６】
・上記実施形態では。操作部２０は、複数のボタンスイッチ２１〜２９により構成されているマンマシンインタフェースであるが、図６に示すように、タッチパネル８０により構成されるマンマシンインタフェースを操作部として採用することもできる。
【００７７】
タッチパネル８０は、使用者が押すことによって電気信号を出力するタッチ領域が複数設けられている。タッチパネル８０において設けられているタッチ領域の各々が、上記実施形態における押しボタンスイッチに相当する。
【００７８】
操作部がタッチパネル８０であるとき、図６（ａ）〜（ｄ）に示すように、タッチパネル８０は、プロジェクタ１の動作態様に応じたタッチ領域を有することが好ましい。
図６（ａ）は、例えば、映像の非表示時におけるタッチパネル８０を示している。このとき、タッチパネル８０は、タッチ領域として、電源オン領域８１を有する。電源オン領域８１には、映像の表示を開始する機能が割り当てられている。
【００７９】
図６（ｂ）は、例えば、映像の表示時におけるタッチパネル８０を示している。このとき、タッチパネル８０は、タッチ領域として、電源オフ領域８２と、自動調整領域８３と、入力切換領域８４と、メニュー表示領域８５と、音量調整領域８６とを有する。電源オフ領域８２には、映像の表示を停止する機能が割り当てられている。自動調整領域８３には、映像の表示を自動で調整する機能が割り当てられている。入力切換領域８４には、映像信号の入力に使用する端子を切り換える機能が割り当てられている。メニュー表示領域８５には、メニュー映像を表示する機能が割り当てられている。音量調整領域８６には、音量を小さくする機能および大きくする機能が割り当てられている。
【００８０】
図６（ｃ）は、例えば、メニュー映像の表示時におけるタッチパネル８０を示している。このとき、タッチパネル８０は、タッチ領域として、電源オフ領域８２と、自動調整領域８３と、入力切換領域８４と、音量調整領域８６と、ポインタ移動領域８７〜９０と、項目選択領域９１と、メニュー非表示領域９２とを有する。ポインタ移動領域８７には、ポインタを上方に移動させる機能が割り当てられている。ポインタ移動領域８８には、ポインタを左方に移動させる機能が割り当てられている。ポインタ移動領域８９には、ポインタを右方に移動させる機能が割り当てられている。ポインタ移動領域９０には、ポインタを下方に移動させる機能が割り当てられている。項目選択領域９１には、ポインタが指し示す項目を選択する機能が割り当てられている。メニュー非表示領域９２には、メニュー映像を非表示にする機能が割り当てられている。
【００８１】
図６（ｄ）は、例えば、外部から入力される映像信号に基づかない映像を表示するとき、例えば、プロジェクタに接続されたメモリの記憶内容を示す映像を表示するときにおけるタッチパネル８０を示している。メモリの記憶内容を示す映像には、メニュー映像と同様にポインタが含まれる。このとき、タッチパネル８０は、タッチ領域として、電源オフ領域８２と、自動調整領域８３と、入力切換領域８４と、メニュー表示領域８５と、音量調整領域８６と、ポインタ移動領域８７〜９０と、項目選択領域９１と、操作取消領域９３とを有する。操作取消領域９３には、使用者による操作部２０の操作を取り消す機能が割り当てられている。
【符号の説明】
【００８２】
１…プロジェクタ（投写型映像表示装置）、１０…筐体、１１…開口部、２０…操作部（マンマシンインタフェース）、２１…電源ボタンスイッチ（押しボタンスイッチ）、２２…メニュー表示ボタンスイッチ（押しボタンスイッチ）、２３…入力切換ボタンスイッチ（押しボタンスイッチ）、２４…ポインタ移動ボタンスイッチ（押しボタンスイッチ）、２５，２６…ポインタ移動ボタンスイッチ（押しボタンスイッチ）、２７…ポインタ移動ボタンスイッチ（押しボタンスイッチ）、２８…操作取消ボタンスイッチ（押しボタンスイッチ）、２９…項目選択ボタンスイッチ（押しボタンスイッチ）。
【図１】
2013110722.tif 000003
【図２】
2013110722.tif 000004
【図３】
2013110722.tif 000005
【図４】
2013110722.tif 000006
【図５】
2013110722.tif 000007
【図６】
2013110722.tif 000008